(57)【要約】【課題】衛生洗浄装置本体の小型化や電源ユニットの標準化が図れると共に、電源ユニットをどこにでも置くことが可能な衛生洗浄装置の電源ユニットを提供する。【解決手段】局部洗浄装置１０の本体部１２には、温水ヒータを含むＡＣ負荷機器群３５やノズルモータを含むＤＣ負荷機器群３７を配置すると共に、これら負荷機器制御等のための制御基板３０を配置する。そして、コンセントＣと本体部１２の間に別体として電源ユニット１６を備え、この電源ユニット１６で、ＡＣ負荷機器とＤＣ負荷機器に印加する定格電圧の交流或いは定格電圧の直流を交流電源から変換・生成する。これにより、衛生洗浄装置本体１２の小型化や電源ユニット１６の標準化が図れる。【選択図】　図１
2004124501.tif 000002
【特許請求の範囲】
【請求項１】
所定電圧にて作動する直流機器と交流機器とが混在した衛生洗浄装置本体に電圧を供給する電源ユニットであって、商用電源に接続されるコンセントと衛生洗浄装置本体との間に別体として備えたことにより、衛生洗浄装置本体の小型化が図れることを特徴とする電源ユニット。
【請求項２】
請求項１記載の電源ユニットであって、電源ユニットを前記衛生洗浄装置本体部とは別体に備えることにより電源ユニットの標準化が図れる電源ユニット。
【請求項３】
請求項２記載の電源ユニットであって、商用電源の交流を前記所定電圧の直流に変換すると共に、前記商用電源の交流を前記所定電圧の交流として給電するための給電部と、該給電部にて得られた直流電圧と前記交流電圧を前記衛生洗浄装置の直流機器と交流機器にそれぞれに給電するための給電線とを備え、前記給電部を前記給電線にて前記直流機器と前記交流機器とに接続したことを特徴とする電源ユニット。
【請求項４】
請求項３記載の電源ユニットであって、前記給電部を収納する筐体を備え、前記給電部は、前記商用電源の交流を前記所定電圧の交流に電圧変換する機能を備える電源ユニット。
【請求項５】
請求項４記載の電源ユニットであって、前記給電部は、交流電圧の符号反転を検出するゼロクロス検出回路を備え、その検出結果を信号ラインで前記衛生洗浄装置における前記交流機器の制御装置に送信する電源ユニット。
【請求項６】
請求項１乃至請求項５記載の電源ユニットであって、前記給電部は、複数の定格電圧の直流に変換する変換回路を有する電源ユニット。
【請求項７】
請求項１乃至請求項６記載の電源ユニットであって、前記給電部を収納する筐体は、内外の通風を行う開口を有する電源装置。
【発明の詳細な説明】
【０００１】
【発明の属する技術分野】
本発明は、便器上に配置され、温水により人体局部を洗浄する温水洗浄便座装置に関するもので、特に所定電圧にて作動する直流機器と交流機器とが混在した衛生洗浄装置に電圧を供給する電源ユニットに関する。
【０００２】
【従来の技術】
近年、衛生洗浄装置の普及とともにコンパクトな構成で掃除性の良いものが求められるようになって来ている。その中で温水タンクの容量を確保しつつ、便座加熱手段、脱臭手段、乾燥手段や制御基板などを収め、便器の幅に合わせた構成としたコンパクトな衛生洗浄装置が提案されている。（例えば特許文献１参照。）
一般に、衛生洗浄装置は、吐水洗浄水を温水化するための温水ヒータや温風乾燥のための温風ヒータ、便座を暖める便座ヒータなどの交流の印加を受ける交流機器と、洗浄水の吐水ノズルを進退駆動させたり温風吹出のためのファンを回転させたりする駆動源であるノズルモータやファンモータなどの直流の印加を受ける直流機器とで構成されており、上述のような交流及び直流機器の電源回路部は衛生洗浄装置本体内の制御基板に搭載されているものであった。
【０００３】
【特許文献１】
特開２００１−１５２５１２号公報（第１〜５頁、図〜２）
【０００４】
【発明が解決しようとする課題】
しかしながら、このような機器構成を有する衛生洗浄装置では、直流印加並びに交流印加のための電源回路基板部を、ヒータ制御基板やモータ制御基板等と共に装置本体部に備えたままなので、次のような問題点が指摘されるに至った。まず、第１に、現在の構成では本体部に設置する部品を減らすことが出来ないため、衛生洗浄装置自体の更なる小型化や薄型化、或いは軽量化が阻害される。また、衛生洗浄装置の普及地域が拡大して来ているので、その設置地域の交流電源電圧に応じた仕様、例えば国内では１００Ｖ、北米では１２０Ｖ、欧州では２２０〜２４０Ｖなどの仕様でヒータやその制御機器を設計・製造する必要があり、このため、多様なヒータや制御機器を準備し、出荷先の交流電源に併せて仕様変更が発生し、煩雑となっていた。更には、電源回路基板部での交流から直流への変換に際しての発熱により、ヒータ制御基板等の設置個所が高温となるので、熱による誤作動及び破損防止のための対処、例えば用いる電子デバイス自体の耐熱性向上、冷却機器設置、機器レイアウトの設計変更等が必要となっていた。また、出荷先の種々の規格に応じて、電子部品の大型化やプリント基板のパターンの絶縁距離を大きく確保しなければならないなどの場合は、制御基板を大きくせざるを得なくなっていた。
【０００５】
ところで、例えばカセットテープレコーダ等の電池駆動の電気機器では、一般家庭の交流コンセントからでもこれら電気機器を使えるよう、直流変換アダプターを本体部とは別に備えている。しかしながら、これら電池駆動の電気機器では、モータ等の直流機器しか用いる必要がなく、印加する直流の総電力としてもせいぜい数十Ｗに過ぎない。よって、直流機器・交流機器が混在し数百Ｗの電力（ヒータ電力）を必要とする局部洗浄装置のような電気機器では、直流変換のみを行えば足りる変換アダプターをそのまま適用することはできなかった。
【０００６】
本発明は、上記問題点を解決するためになされ、直流機器・交流機器を有する衛生洗浄装置の小型化や仕様の統一を図ると共に、直流変換に伴う不具合を回避することを目的とする。
【０００７】
【課題を解決するための手段およびその作用・効果】
かかる課題の少なくとも一部を解決するため、本発明の電源ユニットは、所定電圧にて作動する直流機器と交流機器とが混在した衛生洗浄装置に電圧を供給する電源ユニットであって、商用電源に接続されるコンセントと衛生洗浄装置本体との間に別体として設けられ前記接続部から入力される商用電源の交流を前記所定電圧の直流に変換すると共に、前記商用電源の交流を前記所定電圧の交流として給電するための給電部と、該給電部にて得られた直流電圧と前記交流電圧を前記電気機器の直流機器と交流機器にそれぞれに給電するための給電線とを備えることを特徴とする。
【０００８】
上記構成を有する本発明の電源ユニットでは、衛生洗浄装置の直流機器と交流機器を作動させるに必要な所定電圧の直流並びに交流を、衛生洗浄装置本体とは別に構成されたこの電源ユニットから給電する。よって、衛生洗浄装置本体には交直の電源を得るための機器の配置が不要となるので、衛生洗浄装置本体の小型化、薄型化、軽量化を図ることができる。また、電源ユニット側では直流変換に際して熱を発生させるが、この熱の影響を電源ユニットとは別に構成される衛生洗浄装置本体には及ばないようにできる。よって、衛生洗浄装置本体において、熱による誤作動及び破損防止のための特段の対処を必要とせず、機器構成の簡略化や機器レイアウトの自由度向上を図ることができる。しかも、衛生洗浄装置とは別に構成された電源ユニットから、直流・交流それぞれの給電線で衛生洗浄装置の直流機器と交流機器に所定電圧の直流或いは交流を印加するので、衛生洗浄装置においては、直流機器と交流機器をそれぞれの所定電圧のものにその仕様を統一することが可能となるのである。
【０００９】
本発明の電源ユニットは、商用電源の交流を前記所定電圧の直流に変換すると共に、前記商用電源の交流を前記所定電圧の交流として給電するための給電部と、該給電部にて得られた直流電圧と前記交流電圧を前記衛生洗浄装置の直流機器と交流機器にそれぞれに給電するための給電線とを備え、前記給電部を前記給電線にて前記直流機器と前記交流機器とに接続したことを特徴とする電源ユニットである。
【００１０】
また、前記給電部を収納する筐体を備え、前記商用電源の交流を前記所定電圧の交流に電圧変換する機能を備えるものとすることができる。このようにすることで、本発明の電源ユニットから給電を受ける衛生洗浄装置の設置地域の商用電源の交流電圧の規格値に拘わらず所定電圧の交流を得ることができ、何らの支障もなく交流機器を使用できる。よって、電源ユニットの適応地域や衛生洗浄装置の設置地域を拡大できると共に、衛生洗浄装置の設置作業の簡略化を図ることが可能となるのである。
【００１１】
また、前記給電部を、交流電圧の符号反転を検出するゼロクロス検出回路を備え、その検出結果を信号ラインで前記衛生洗浄装置における前記交流機器の制御装置に送信するものとすることができる。このようにすることで、衛生洗浄装置側の交流機器の制御装置は、ゼロクロス検出結果から交流機器に印加される交流の周波数を認識できるので、交流機器制御の際の通電タイミングをその交流機器の特性に合わせて最適化できる。例えば、位相制御時の制御角αを交流機器の特性に合わせて最適なものとすることが可能となるのである。
【００１２】
また、前記給電部を、複数の定格電圧の直流に変換する変換回路を有するものとすることができる。このようにすることで、衛生洗浄装置に設ける直流機器をその目的に応じて種々選択できるので、衛生洗浄装置の付加価値を高めることができる。具体的には、モータを種々選択できるので、モータによる駆動対象物の駆動速度の多様化等を図ることなどが可能となるのである。
【００１３】
また、前記給電部を収納する筐体を、内外の通風を行う開口を有するものとすることができる。このようにすることで、給電や電流変換に伴う熱を開口から放熱して筐体内部での蓄熱を防止でき、熱による誤動作及び破損防止を図ることが可能となるのである。この際、開口を筐体側面や底面に設ければ、塵や水滴等の不用意な進入を防止しやすく使い勝手の良いものとなる。
【００１４】
【発明の実施の形態】
以下、本発明の実施形態を、図面により詳細に説明する。
【００１５】
図１は、様式便器上に取り付けられた実施例の局部洗浄装置１０を表す概略斜視図、図２は、局部洗浄装置１０の制御系並びに電源系の概略構成を表すブロック図である。
【００１６】
図示するように、局部洗浄装置１０は、便器ＢＴの後部上面に固定される本体部１２と、洗浄動作や乾燥動作等を遠隔操作するための遠隔操作装置１４と、本体内の図示しない各種機器への電力供給のための電源ユニット１６とを有する。本体部１２は、便器開口部側に、便座１８並びに便蓋２０を開閉自在に備える。また、この本体部は、便器の側方に袖部２２を有すると共に、洗浄水を洗浄局部に吐水する洗浄ノズル２４を有する図示しないノズル装置の他、後述の種々の機能部品を収納している。
【００１７】
遠隔操作装置１４は、その前面に、排便時に常用される種々のボタンを備え、操作されたボタンに対応した信号（光信号）を発するようにされている。例えば、お尻洗浄が所望される際に操作されるお尻洗浄ボタン（図示省略）が操作されると、その旨の信号が発せられ、この信号は本体部１２の側で受信される。そして、この信号を受けて、お尻洗浄が開始される。なお、この遠隔操作装置１４は、停止ボタンやビデ洗浄ボタンの他、乾燥ボタン、水勢設定ボタン、ムーブ設定ボタン等の種々のボタンを有するが、本発明の要旨と直接関係しないので、その詳細な説明は省略する。
【００１８】
袖部２２は、その上面に、局部洗浄装置１０の動作状況等を表示する表示部２８と、開閉自在なカバー２９とを有する。なお、この表示部には、上記の遠隔操作装置１４から発せられた光信号を受光する受光部が組み込まれている。また、このカバーの一部は、着座人体を検出するための着座センサ（図示省略）からの光を選択的に透過させるよう着色された光透過窓２９ａとされている。なお、この袖部２２のカバー下方には、局部洗浄に必要な最低限のボタンが設けられており、遠隔操作装置１４が電池切れ等で操作不能なときでも袖部２２のボタン操作で局部洗浄を行うことができるようにされている。
【００１９】
次に、本実施例の局部洗浄装置１０の有する機能部品について説明する。図２に示すように、局部洗浄装置１０は、種々の機能部品を駆動制御するための制御基板３０を備える。この制御基板３０は、本体部１２の内部の適宜位置、例えば本実施例では袖部２２の内部に配置されている。制御基板３０は、制御回路３２と、交流（ＡＣ）負荷駆動回路３４と、直流（ＤＣ）負荷駆動回路３６とを有する。制御回路３２は、ＣＰＵ、ＲＯＭ、ＲＡＭ並びにＩ／Ｏポート（入出力ポート）を中心に論理演算回路として構成されており、電源ユニット１６からＤＣ電源ライン１６ｂを経てＤＣ電圧の印加を常時受けている。ＡＣ負荷駆動回路３４は、電源ユニット１６とＡＣ電源ライン１６ａで接続されている。このＡＣ負荷駆動回路３４は、ＡＣ負荷機器群３５に含まれる各種ＡＣ負荷機器へのＡＣ印加やその駆動制御を、制御回路３２からの制御信号を受けて実行するよう構成されている。ＤＣ負荷駆動回路３６は、電源ユニット１６とＤＣ電源ライン１６ｂで接続されている。このＤＣ負荷駆動回路３６は、ＤＣ負荷機器群３７に含まれる各種ＤＣ負荷機器へのＤＣ印加やその駆動制御を、制御回路３２からの制御信号を受けて実行するよう構成されている。
【００２０】
この場合、ＡＣ負荷機器群３５やＤＣ負荷機器群３７に含まれる負荷機器の種類は、局部洗浄装置１０の有する基本機能と付加機能によって定まる。この基本機能としては、局部に冷水の洗浄水を吐水しないようにするために予め温水化する温水機能や、局部を温風にて乾燥させる乾燥機能、洗浄ノズル２４を本体部内の待機位置からその前方の洗浄位置に進退させるノズル進退機能の他、洗浄水水系の管路開閉を介して洗浄水の給水・停止を行う給水機能などがある。また、付加機能は、装置購入者の要求に応じて種々選択されるものであり、便座を暖房する機能や、局部洗浄装置の運転状態を表示したりする表示機能、便器ボール部内の臭気を取り除く脱臭機能などがある。なお、便座暖房機能や脱臭機能を基本機能としてもよいことは勿論である。
【００２１】
例えば、局部洗浄装置１０が上記の基本機能に加えて、便座暖房機能と表示機能を有するものであれば、これら機能実現に必要な機能実現機器が本体部１２の内部に配設され、この機能実現機器は、それぞれ上記のＡＣ負荷機器群３５或いはＤＣ負荷機器群３７に分類される。この場合であると、洗浄水温水化の温水ヒータや、温風乾燥のための温風ヒータ、便座暖房のための便座ヒータ、管路開閉のための電磁弁等が、ＡＣ負荷機器群３５に区分され、便座ヒータは便座１８に、その他のものは本体部内の所定位置に配設される。ＡＣ負荷機器群３５に区分された上記の各ヒータは、その消費する電力も数百Ｗと大きいことから、不用意な漏電による不具合を回避するため、電源ユニット１６とアースライン１６ｃを介して接続されている。
【００２２】
また、ノズル進退のためのノズルモータや、温風送風のためのファンモータの他、便座への着座を検出する着座センサや洗浄水温水化を図る際の制御パラメータを得るための入水・出水温度センサ等の各種センサ、各種の表示ランプ等が、ＤＣ負荷機器群３７に区分され、これらは本体部内の所定位置に配設される。この各種センサからの信号は制御回路３２に入力されるようにされている。従って、温水ヒータやノズルモータ等の上記機能実現機器が本発明にいう「直流機器並びに交流機器」に該当する。なお、ＡＣ負荷駆動回路３４並びにＤＣ負荷駆動回路３６は、ＡＣ負荷機器群３５或いはＤＣ負荷機器群３７に含まれる上記の各種負荷機器（機能実現機器）ごとの駆動回路を同一基板上に備え、この負荷機器ごとの駆動回路は、制御回路３２からの制御信号によりそれぞれの負荷機器を駆動制御する。
【００２３】
本実施例では、上記の構成を有する制御基板３０の基板端部に図示しないコネクタを設け、このコネクタを介して制御基板３０と電源ユニット１６を電気的に接続するようにした。また、制御基板３０を、上記の各回路と基板上の電源ライン等とを、その構成電子デバイスと共に樹脂にてモールドしたものとした。よって、外気温低下により本体部１２内部で結露が起きたり掃除の際の水が本体内に進入しても、水を制御基板３０における回路構成デバイスや配線に触れさせないので、短絡や誤動作等の不具合を回避できる。
【００２４】
ここで、上記した負荷機器の駆動の様子を、遠隔操作装置１４や袖部２２のボタン操作に応じた洗浄動作・乾燥動作等と関連付けて説明する。遠隔操作装置１４や袖部２２の洗浄ボタン、例えばお尻洗浄ボタンが操作されると、制御回路３２は、ＤＣ負荷駆動回路３６にノズル進出信号を出力する。ＤＣ負荷駆動回路３６は、詳しくはノズル駆動回路は、ノズルモータに所定のＤＣ定格電圧を印加して当該モータを正転駆動制御する。これにより、洗浄ノズル２４は、本体内の待機位置からお尻洗浄位置に進出する。なお、こうしたノズル進出に先立ってノズルに給水を行い、ノズルの吐水孔周辺を洗浄するようにすることもできる。ノズルの進出が完了すると、制御回路３２は、ＡＣ負荷駆動回路３４に給水信号を出力する。ＡＣ負荷駆動回路３４は、詳しくは電磁弁駆動回路は、電磁弁に所定のＡＣ定格電圧を印加してこの電磁弁を管路開放駆動制御する。これにより、洗浄位置（お尻洗浄位置）の洗浄ノズル２４に洗浄水が給水され、その吐水孔から洗浄水が吐水される。
【００２５】
この場合、便座１８に使用者が着座して着座センサがオンすると、制御回路３２は、このオン信号の入力を受けてＡＣ負荷駆動回路３４に温水ヒータのオン信号を出力するようにされている。この際、制御回路３２は、入水・出水温度センサからの洗浄水温度と設定温水温度とに基づいて、必要な温水ヒータへの通電電力を決定し、その結果を上記のヒータオン信号と併せてＡＣ負荷駆動回路３４（温水ヒータ駆動回路）に出力する。ＡＣ負荷駆動回路３４（温水ヒータ駆動回路）は、この信号を受けて温水ヒータに所定のＡＣ定格電圧を印加して当該ヒータを通電制御する。これにより、洗浄ノズル２４の進出に先立ち、洗浄水が予め温水化される。
【００２６】
その後、停止ボタンが操作されると、制御回路３２は、ＡＣ負荷駆動回路３４（電磁弁駆動回路）に給水停止信号を出力し、ＡＣ負荷駆動回路３４（電磁弁駆動回路）は、これを受けて電磁弁への電圧印加を停止し電磁弁を管路閉鎖駆動制御する。これにより、洗浄ノズル２４からの洗浄水吐水が停止する。次いで、制御回路３２は、ＤＣ負荷駆動回路３６（ノズル駆動回路）にノズル後退信号を出力し、ＤＣ負荷駆動回路３６（ノズル駆動回路）は、ノズルモータにＤＣ電圧を印加して当該モータを逆転駆動制御する。これにより、洗浄ノズル２４は、洗浄位置から本体内の待機位置に復帰する。なお、ノズル復帰後に、ノズルに給水を行い、ノズルの吐水孔周辺を洗浄するようにすることもできる。
【００２７】
次に、電源ユニット１６について説明する。図３は、電源ユニット１６の外観構成を表し、図３（ａ）はその正面概略斜視図、図３（ｂ）は裏面概略斜視図、図３（ｃ）は底面概略平面図である。この電源ユニット１６は、ＡＣ負荷機器群３５やＤＣ負荷機器群３７に含まれる上記した各負荷機器に必要とされる定格の直流・交流を得るものであり、中空のユニット筐体１７を有する。電源ユニット１６は、図３並びに図１に示すように、このユニット筐体１７の側面から通電線が出ており、一方は商用電源へ接続されるプラグ４０であり、もう一方は衛生洗浄装置本体へ給電する通電ケーブル４９である。
【００２８】
電源ユニット１６は、ユニット筐体１７の左右側面に、上下に多列に形成された側面開口４２と当該開口上端から外側に傾斜した防塵庇４３を備え、筐体底面には、多列に形成された底面開口４４を有する。電源ユニット１６（ユニット筐体１７）は、これら開口を通して内外の通気が可能となっている。
【００２９】
電源ユニット１６は、５芯線の通電ケーブル４９をユニット筐体１７から本体部１２まで延出して備える。この通電ケーブル４９は、制御基板３０におけるＡＣ電源ライン１６ａとＤＣ電源ライン１６ｂ並びにアースライン１６ｃに対応する各電線を一本に結束してゴム材にて被覆したものであり、既述した制御基板３０のコネクタに接続される。このように電源ユニット１６から本体部１２へは外観上、１本のケーブルしか配線する必要がないので、見栄えの向上を図ることができる。
【００３０】
上記した外観構成を有する電源ユニット１６は、図２に示すように、ユニット筐体１７内に、第１〜第３電源回路５２〜５４を有する。第１電源回路５２は、上記のプラグ４０と接続されており、サージ吸収回路と安全回路を備え、過電圧の吸収を通して定格電圧の交流を生成し、本体部１２のＡＣ負荷機器群３５に含まれる各負荷機器に対して定格電圧の交流を印加するよう回路構成されている。そして、この第１電源回路５２は、通電ケーブル４９のＡＣ電源用配線と制御基板３０におけるＡＣ電源ライン１６ａを介してＡＣ負荷駆動回路３４と接続されている。また、第１電源回路５２は、アースプラグ４１とアース接続されていると共に、通電ケーブル４９のアース用配線と制御基板３０におけるアースライン１６ｃを介してＡＣ負荷機器群３５の各負荷機器とも直接アース接続されている。この場合、この第１電源回路５２から得られる交流の定格電圧値は、本衛生洗浄装置の設置先の商用電源の電圧値と同じであってＡＣ負荷機器群３５の各負荷機器に必要とされる電圧値となるよう、その設計時或いは製品出荷時において決定されている。
【００３１】
第１電源回路５２の下流の第２電源回路５３と第３電源回路５４は、それぞれスイッチングレギュレータ回路、電圧安定化回路を備えており、協働して第１電源回路５２の交流を安定した定格電圧の直流に整流・変圧する。そしてこの両回路は、本体部１２のＤＣ負荷機器群３７に含まれる各負荷機器並びに制御回路３２に対して定格電圧の直流を印加するよう回路構成されている。そして、第３電源回路５４は、通電ケーブル４９のＤＣ電源用配線と制御基板３０におけるＤＣ電源ライン１６ｂを介してＤＣ負荷駆動回路３６と制御回路３２に接続されている。この場合、第３電源回路５４から得られる直流の定格電圧値は、ＤＣ負荷機器群３７の各負荷機器に必要とされる電圧値となるよう、その設計時或いは製品出荷時において決定されている。
【００３２】
上記した第１ないし第３電源回路は、衛生洗浄装置１０の設置先の交流コンセント電圧や周波数を上記の定格電圧値と併せて考慮し、その構成デバイスや回路構成等が決定され、電源ユニット１６に組み込まれる。つまり、少なくともＤＣ負荷機器群３７に含まれる各負荷機器にあっては必要とされる定格電圧値を変更することなく、電源ユニット１６の上記電源回路を交流コンセント電圧等に応じて構成することで、定格電圧の交流給電並びに定格電圧の直流給電を行うことができる。
【００３３】
具体的に説明すると、ＡＣ負荷機器群３５の負荷機器の定格電圧が交流１００Ｖ、ＤＣ負荷機器群３７の負荷機器および制御回路３２の定格電圧が直流２４Ｖであり、交流コンセント電圧（電源電圧）が約１００〜１１０Ｖ（周波数５０Ｈｚ）であれば、この交流コンセントの交流（約１００〜１１０Ｖ）から定格電圧が１００Ｖの交流と定格電圧が２４Ｖの直流を得るに必要な第１ないし第３電源回路の構成デバイスや回路構成等が決定される。その一方、ＤＣ負荷機器の定格は上記の通りであって交流コンセント電圧が約２００〜２４０Ｖであれば、定格電圧が２４Ｖの直流を得るに必要な第１ないし第３電源回路の構成デバイスや回路構成等が決定され、ＡＣ負荷機器群３５の負荷機器については定格電圧が上記の交流コンセント電圧と同じ交流仕様とされこの電圧値の交流が得られるように回路構成等される。この結果、本体部１２の側にあっては交流コンセント電圧に拘わらずＤＣ負荷機器群３７に含まれる各負荷機器の仕様を統一できる。しかも、これら負荷機器を制御するための制御基板３０についても、ＤＣ関連の回路構成等の仕様を統一することができる。よって、本体部１２の製造工程管理の簡略化や部品の統一化を図ることができ、これを通して製造コストの低減、生産性向上等の製造上の利点がある。そして、ＡＣ負荷機器については、設置先の交流コンセント電圧に併せたものにするだけで済む。なお、ＡＣ負荷機器並びにＡＣ関連の回路構成等についても仕様の統一を図るには、交流コンセント電圧を所定のＡＣ定格電圧（例えば、１００Ｖ）に変圧するトランスを設置先交流コンセント電圧に併せて設置すればよい。具体的には、ＡＣ負荷機器を定格電圧が１００Ｖのものとし、設置先交流コンセント電圧がこの定格電圧と異なる場合には、トランスを設置すればよい。こうすれば、ＡＣ負荷機器並びにＡＣ関連の回路構成等についても仕様を統一できるので、製造コストの低減、生産性向上等の製造上の利点が高まる。
【００３４】
このように本体部１２の側で負荷機器の仕様統一を図ることができることは、電源ユニット１６についても利点がある。つまり、何らかの原因で本体部１２を交換する場合であっても、既設の電源ユニット１６はそのまま利用できる利点がある。更に、廃棄された局部洗浄装置１０のリサイクルに当たっては、本体部１２に設置された各機能機器（負荷機器）は分解・回収されて再使用され、電源ユニット１６はこのユニット単位で再利用できる利点がある。
【００３５】
また、ＡＣ負荷機器群３５やＤＣ負荷機器群３７に含まれる各負荷機器に印加する定格電圧の直流・交流を得るための電源ユニット１６を本体部１２とは別体にした。このため、本体部１２には上記各負荷機器に印加するための電源電圧生成用の部材を一切組み込む必要がないので、その分、本体部１２、延いては衛生洗浄装置１０の小型化を図ることができる。加えて、本体部１２の内部に配置する部材が少なくなるので、本体部１２の薄型化や軽量化を図ることができ、便器への設置作業時や保守点検時の本体着脱作業時の作業負荷を軽減できる。
【００３６】
しかも、電源ユニット１６が本体部１２と別体であることから、直流変換に際して電源ユニット１６で発生する熱を本体部１２にほとんど伝えないようにすることができる。このため、本体部１２に配置された制御基板３０の回路構成機器について熱による誤作動及び破損防止のための特段の対処を必要とせず、機器構成の簡略化や機器レイアウトの自由度向上を図ることができる。
【００３７】
電源ユニット１６のユニット筐体１７には、その左右側面と底面に側面開口４２と底面開口４４を設け、これら開口を通して電源ユニット１６の内外通気を図るようにした。よって、直流変換時等に伴い発生した熱をこれら開口から放熱して電源ユニット１６内部の蓄熱を防止でき、熱による誤作動及び破損防止を図ることができる。しかも、これら開口を筐体側面や底面に設けたので、開口から不用意に塵や水滴等が進入しないようにでき好ましい。加えて、本実施例では、側面開口４２のそれぞれに外側に傾斜した防塵庇４３を併設したので、塵や水滴等の進入をより確実に防止することができる。
【００３８】
この電源ユニット１６は、衛生洗浄装置１０の設置先の電源電圧の仕様に併せて交換できる。例えば、電源電圧が約１００〜１１０Ｖの地域向けの衛生洗浄装置１０には、この電源電圧から定格電圧が１００Ｖの交流と定格電圧が２４Ｖの直流を得るに必要な回路構成の電源ユニット１６を装着すればよい。その一方、電源電圧が約２００〜２４０Ｖの地域向けの衛生洗浄装置１０には、この電源電圧から定格電圧が１００Ｖの交流と定格電圧が２４Ｖの直流を得るに必要な回路構成の電源ユニット１６を装着すればよい。このため、電源電圧に応じた電源ユニット１６を用いることで、種々の電源電圧の地域に本局部洗浄装置を容易に適用・設置することができる。
【００３９】
次に、局部洗浄装置１０の変形例について説明する。図４は、変形例の衛生洗浄装置の制御系の概略構成を表すブロック図である。図示するように、この変形例では、ＡＣ負荷駆動回路３４を制御基板３０から分離した独立の基板構成とした。なお、制御回路３２とＡＣ負荷駆動回路３４とはフラットケーブルで接続し、制御信号の送受信ができるようにされている。ＡＣ負荷駆動回路３４に至るＡＣ電源ライン１６ａとアースライン１６ｃは、制御基板３０におけるＤＣ電源ライン１６ｂの図示しないコネクタから本体部１２内を配線されている。
【００４０】
この変形例によれば、制御回路３２とＤＣ負荷駆動回路３６とを有する構成において制御基板３０の仕様を統一することができ、上記の利点がある。また、衛生洗浄装置１０の設置先の電源電圧に応じた電源ユニット１６およびＡＣ負荷駆動回路３４を用いることで、種々の電源電圧の地域に本衛生洗浄装置を容易に適用・設置することができる他、上記した種々の効果を奏することができる。しかも、この変形例では、ＡＣ負荷駆動回路３４を制御基板３０から分離したので、本衛生洗浄装置の設置地域の実情、例えば交換を要する電磁弁等の入手の容易さやその設置地域の法律上の制約等に応じてＡＣ負荷駆動回路３４を変更できる。よって、電源ユニット１６の変更と相まって、設置地域への適用性をより高めることができる。
【００４１】
図５は、また別の変形例の衛生洗浄装置が有する電源系の概略構成を表すブロック図である。図示するように、この変形例では、電源ユニット１６は、既述した実施例と同様の第１〜第３電源回路５２〜５４を有し、この他、第１電源回路５２に接続された電圧可変トランス５５およびゼロクロス検出回路５６と、ＤＣ電圧の安定化を図る第３電源回路５４に接続されたシリーズレギュレータ回路５７とを有する。この場合、変形例の電源ユニット１６は、電圧可変トランス５５からのＡＣ電源用に２本、第３電源回路５４からのＤＣ電源用に２本、第２電源回路５３からのＤＣ用のグランドライン１本、ゼロクロス検出回路５６からの検出信号送信用のライン１本、第１電源回路５２からのアースライン１本の芯線からなる７芯線の通電ケーブルを本体部１２まで延出して備える。
【００４２】
電圧可変トランス５５は、種々の電圧値の交流電源を既述した定格電圧の交流に変換するよう構成されている。つまり、ＡＣ負荷機器群３５の各ＡＣ負荷機器に定格電圧が１００Ｖの交流を印加する場合、電源電圧が約２００〜２４０Ｖであれば降圧してこの定格の交流に変換する。よって、この変形例によれば、電源電圧に拘わらず定格電圧の交流を各ＡＣ負荷機器に印加できその際に電源ユニットの交換を要しないので、衛生洗浄装置を種々の電源電圧を有する地域により容易に適用・設置することができる。この電圧可変トランス５５の組み込みに際しては、当該トランスを電源ユニット１６のユニット筐体１７内に他の回路と共に配置してもよいが、電圧可変トランス５５をユニット筐体１７から独立して構成することもできる。
【００４３】
ゼロクロス検出回路５６は、第１電源回路５２にてサージ吸収が図られた交流の電圧の符号反転を検出してその交流信号を制御回路３２に送信するよう回路構成されている。よって、制御回路３２は、ＡＣ負荷機器に印加される実際の交流周波数に基づいてＡＣ負荷駆動回路３４にＡＣ負荷機器のＯＮ信号やＯＦＦ信号或いは負荷の制御信号の送信タイミングを調整できる。このため、ＡＣ負荷機器の特性に適合した最適のタイミングで当該ＡＣ負荷機器を制御できる。
【００４４】
シリーズレギュレータ回路５７は、第２電源回路５３、第３電源回路５４から得られた直流電圧とは異なる電圧の直流を生成するよう回路構成されており、その電流をＤＣ負荷機器群３７に含まれる所定のＤＣ負荷機器に印加する。よって、ＤＣ負荷機器群３７に含まれる各ＤＣ負荷機器を異なる定格電圧のものとしてその仕様を統一できるので、ＤＣ負荷機器選択の自由度が高まる。なお、シリーズレギュレータ回路５７を複数の定格電圧の直流が得られるよう回路構成することもできる。
【００４５】
以上本発明の実施例について説明したが、本発明は上記の実施例や実施形態になんら限定されるものではなく、本発明の要旨を逸脱しない範囲において種々なる態様で実施し得ることは勿論である。
【００４６】
例えば、局部洗浄装置に限らず、直流機器と交流機器を有しそれぞれの機器に定格電圧の直流又は交流を印加する電気機器であれば、その種類に限らず適用できる。例えば、本発明の適用可能な電気機器としては、給湯機や温水器、自動水栓、食器洗浄乾燥機等を挙げることができる。また、上記の実施例とその変形例ではアースが必要なＡＣ負荷機器について説明したが、アース配線を要しないＡＣ負荷機器を有するものにも適用できることが勿論である。更には、電源ユニット１６に含まれる各回路やデバイスを樹脂等にてモールドしたり、ユニット筐体１７をＹパッキン、Ｖパッキン等で水密化したりして、電源ユニット１６を防水・防塵仕様とすることもできる。こうすれば、漏電やゴミによる回路短絡等の不具合をより確実に回避できる。なお、必要な防水仕様によっては筐体側面・底面の開口を閉鎖すればよい。
【図面の簡単な説明】
【図１】便器に装着した状態の実施例の衛生洗浄装置１０を表す概略斜視図である。
【図２】この衛生洗浄装置１０の制御系並びに電源系の概略構成を表すブロック図である。
【図３】電源ユニット１６の外観構成を表し、図３（ａ）はその正面概略斜視図、図３（ｂ）は裏面概略斜視図、図３（ｃ）は底面概略平面図である。
【図４】変形例の衛生洗浄装置の制御系の概略構成を表すブロック図である。
【図５】また別の変形例の衛生洗浄装置が有する電源系の概略構成を表すブロック図である。
【符号の説明】
１０…局部洗浄装置、１２…本体部、１４…遠隔操作装置、１６…電源ユニット、１６ａ…ＡＣ電源ライン、１６ｂ…ＤＣ電源ライン、１６ｃ…アースライン、１７…ユニット筐体、１８…便座、２０…便蓋、２２…袖部、２４…洗浄ノズル、２８…表示部、２９ａ…光透過窓、２９…カバー、３０…制御基板、３２…制御回路、３４…ＡＣ負荷駆動回路、３５…ＡＣ負荷機器群、３６…ＤＣ負荷駆動回路、３７…ＤＣ負荷機器群、４０…プラグ、４１…アースプラグ、４２…側面開口、４３…防塵庇、４４…底面開口、４９…通電ケーブル、５１…第１電源回路、５２…第２電源回路、５３…第３電源回路、５４…第４電源回路、５５…電圧可変トランス、５６…ゼロクロス検出回路、５７…シリーズレギュレータ回路、ＢＴ…便器、Ｃ…交流コンセント
【図１】
2004124501.tif 000003
【図２】
2004124501.tif 000004
【図３】
2004124501.tif 000005
【図４】
2004124501.tif 000006
【図５】
2004124501.tif 000007